(57)【要約】【課題】  釣り人が、スプールのいずれの側又はインライン位置からキャスティングできる魚釣用リールを提供する。【解決手段】  インライン位置と称する巻き取りと同じ方向にスプールの釣り糸があるスプール位置から開始して、釣り糸は、この位置からキャスティングできる。又は、スプールは、キャスティングのために、インライン位置からいずれの方向にも９０度回転できる。スプールが回転した後、キャスティングは、スプールの釣り糸に垂直な方向のスプール側から行われる。キャスティング後、スプールがインライン位置の開始位置に戻され、スプールの釣り糸は巻き取りと同じ方向になる。そして、釣り糸は、スプールと係合することによって釣り糸を巻き込む一連のギアに接続されたハンドルを回すことによって巻き取られる。【選択図】    図１
2014526252.tif 000002
【特許請求の範囲】
【請求項１】
スプール組立体を旋回可能に支持するためのスプール支持機構と、
前記スプール組立体と係合し、スプール支持機構からスプール組立体をロック及びアンロックするばね式ロック装置と、が含まれる魚釣用リールであって、
前記スプール組立体は、前記ばね式ロック装置を用いて、前記スプール支持機構からロック及びアンロックすることができ、また、前記スプール組立体は、いずれの方向にでも９０度回転することができ、これによって、スプール組立体は、０度インライン位置、９０度右キャスティング位置、又は９０度左キャスティング位置においてキャスティングすることができる魚釣用リール。
【請求項２】
前記スプール支持機構には、ブレースが含まれ、
前記ブレースには、１対のブレースアーム部材が含まれ、
前記ブレースアーム部材は互いに結合又は一体化され、
前記ばね式ロック装置には、ばね式スプール支持バンド、スプールスレッド、及びスレッドロック装置が含まれ、
前記ブレースアーム部材の各々には、前記ばね式スプール支持バンドから前記スプールスレッドを切り離すことによって、また、前記スレッドロック装置で前記スプールスレッドをロックすることによって９０度回転し得る前記ばね式スプール支持バンドのそれぞれの旋回プロングを受けるための旋回点開口部が含まれる、請求項１に記載の魚釣用リール。
【請求項３】
前記ばね式スプール支持バンドには、共通の旋回点において取り付けられた左側スプール支持バンド及び右側スプール支持バンドが含まれ、
前記左側スプール支持バンド及び前記右側スプール支持バンドは、互いに対して独立に９０度回転可能である、請求項２に記載の魚釣用リール。
【請求項４】
９０度点において、前記左側スプール支持バンド又は前記右側スプール支持バンドのいずれかをアンロックし、また、左側スプール支持バンド又は右側スプール支持バンドをそれぞれインライン位置に戻すために用いられるトリガ機構が更に含まれる、請求項３に記載の魚釣用リール。
【請求項５】
前記ばね式スプール支持バンドの内の一方は、他方の前記ばね式スプール支持バンド側に９０度回転されると、スプール支持バンドばねに抗して装着され、前記トリガ機構のばね式トリガロック装置によって所定の位置にロックされる、請求項４に記載の魚釣用リール。
【請求項６】
前記スプール組立体には、スプールと、前記スプールの各側に結合された１対のスプールディスクと、が含まれ、
１対の前記スレッドは、前記１対の前記スプールディスクの各々に取り付けられたスレッドガイドで受けられ、
ねじ付きスプール軸が、前記スプール及び前記１対のスプールディスクを通って横に延在し、
前記１対のスレッドは、前記ねじ付きスプール軸のいずれかの側に対し垂直に付勢される、請求項２に記載の魚釣用リール。
【請求項７】
前記スレッドロック装置は、スレッドロックタブの切り欠きと係合して、前記ばね式スプール支持バンドから解放された位置で互いに隣接して前記１対の付勢されたスプールスレッドを保持する、請求項６に記載の魚釣用リール。
【請求項８】
前記トリガ機構には、前記ばね式トリガロック装置と係合するスプール支持バンドロックばねが含まれ、
前記スプール支持バンドロックばねは、釣り人によって逆方向の圧力が印加され、前記ばね式スプール支持バンドがインライン位置に解放されるまで、前記ばね式スプール支持バンドに対して前方への圧力を保持する、請求項５に記載の魚釣用リール。
【請求項９】
前記ねじ付きスプール軸の周りに配置されたスプール・ディスク・ブッシングに受けられるスプールギアと、
前記スプールギアと係合するディスクギアと、
トリガギアと係合するハンドルギアであってハンドルと共働する前記ハンドルギアと、が更に含まれ、
前記トリガギアが前記ディスクギア及び前記スプールギアと係合するようにトリガが解放されると、前記ハンドルの回転により、前記ハンドルギアを回転させて、前記トリガギアが回転する、請求項８に記載の魚釣用リール。
【請求項１０】
釣り糸のキャスティング方法であって、
第１位置にあるスプールから釣り糸をキャスティングすることと、
前記スプールを第２位置に回転することであって、前記第２位置は、前記第１位置から９０度又は１８０度回転された位置であることと、
前記スプールが前記第２位置にある状態で釣り糸をキャスティングすることと、
を含む方法。
【請求項１１】
前記スプールは、スプール支持機構に支持されたスプール組立体の一部であり、
ばね式ロック装置は、前記スプール組立体と係合され、スプール支持機構からスプール組立体をロック及びアンロックし、
前記スプール組立体は、前記ばね式ロック装置を用いて、前記スプール支持機構からロック及びアンロックすることができ、前記スプール組立体は、いずれの方向にでも９０度回転することができ、これによって、スプール組立体は、０度インライン位置、９０度右キャスティング位置、又は９０度左キャスティング位置においてキャスティングすることができる、請求項１０に記載の方法。
【請求項１２】
前記スプール支持機構には、ブレースが含まれ、
前記ブレースには、１対のブレースアーム部材が含まれ、
前記ブレースアーム部材は、互いに結合又は一体化され、
前記ばね式ロック装置には、ばね式スプール支持バンド、スプールスレッド、及びスレッドロック装置が含まれ、
前記ブレースアーム部材の各々には、前記ばね式スプール支持バンドから前記スプールスレッドを切り離すことによって、また、前記スレッドロック装置で前記スプールスレッドをロックすることによって９０度回転し得る前記ばね式スプール支持バンドのそれぞれの旋回プロングを受けるための旋回点開口部が含まれる、請求項１１に記載の方法。
【請求項１３】
前記ばね式スプール支持バンドには、共通の旋回点において取り付けられた左側スプール支持バンド及び右側スプール支持バンドが含まれ、
前記左側スプール支持バンド及び前記右側スプール支持バンドは、互いに対して独立に９０度回転可能であり、
トリガ機構は、９０度点において、前記左側スプール支持バンド又は前記右側スプール支持バンドのいずれかをアンロックし、また、左側スプール支持バンド又は右側スプール支持バンドをそれぞれインライン位置に戻すために用いられる、請求項１２に記載の方法。
【請求項１４】
前記ばね式スプール支持バンドの内の一方は、他方の前記ばね式スプール支持バンド側に９０度回転されると、スプール支持バンドばねに抗して装着され、前記トリガ機構のばね式トリガロック装置によって所定の位置にロックされる、請求項１３に記載の方法。
【請求項１５】
前記トリガ機構には、前記ばね式トリガロック装置と係合するスプール支持バンドロックばねが含まれ、
前記スプール支持バンドロックばねは、釣り人によって逆方向の圧力が印加され、前記ばね式スプール支持バンドがインライン位置に解放されるまで、前記ばね式スプール支持バンドに対して前方への圧力を保持する、請求項１４に記載の方法。
【請求項１６】
釣り糸をキャスティングする方法であって、
キャスティング又は巻き取りによって正捩れを生成する第１位置にあるスプールから釣り糸をキャスティングすることと、
前記スプールを第２位置に回転することであって、前記第２位置は、前記第１位置から１８０度回転された位置であることと、
釣り糸のニュートラルなゼロ捩れを維持するために、負捩れを生成する前記第２位置に前記スプールがある状態で釣り糸をキャスティングすることと、
が含む方法。
【請求項１７】
前記スプールは、スプール支持機構に支持されたスプール組立体の一部であり、
ばね式ロック装置は、前記スプール組立体と係合され、スプール支持機構からスプール組立体をロック及びアンロックし、
前記スプール組立体は、前記ばね式ロック装置を用いて、前記スプール支持機構からロック及びアンロックすることができ、前記スプール組立体は、いずれの方向にでも９０度回転することができ、これによって、スプール組立体は、０度インライン位置、９０度右キャスティング位置、又は９０度左キャスティング位置においてキャスティングすることができる、請求項１６に記載の方法。
【請求項１８】
前記スプール支持機構には、ブレースが含まれ、
前記ブレースには、１対のブレースアーム部材が含まれ、
前記ブレースアーム部材は、互いに結合又は一体化され、
前記ばね式ロック装置には、ばね式スプール支持バンド、スプールスレッド、及びスレッドロック装置が含まれ、
前記ブレースアーム部材の各々には、前記ばね式スプール支持バンドから前記スプールスレッドを切り離すことによって、また、前記スレッドロック装置で前記スプールスレッドをロックすることによって９０度回転し得る前記ばね式スプール支持バンドのそれぞれの旋回プロングを受けるための旋回点開口部が含まれる、請求項１７に記載の方法。
【請求項１９】
前記ばね式スプール支持バンドには、共通の旋回点において取り付けられた左側スプール支持バンド及び右側スプール支持バンドが含まれ、
前記左側スプール支持バンド及び前記右側スプール支持バンドは、互いに対して独立に９０度回転可能であり、
トリガ機構が、９０度点において、前記左側スプール支持バンド又は前記右側スプール支持バンドのいずれかをアンロックし、また、左側スプール支持バンド又は右側スプール支持バンドをそれぞれインライン位置に戻すために用いられる、請求項１８に記載の方法。
【請求項２０】
前記ばね式スプール支持バンドの内の一方は、他方の前記ばね式スプール支持バンド側に９０度回転されると、スプール支持バンドばねに抗して装着され、
前記トリガ機構のばね式トリガロック装置によって所定の位置にロックされ、
前記トリガ機構には、前記ばね式トリガロック装置と係合するスプール支持バンドロックばねが含まれ、前記スプール支持バンドロックばねは、釣り人によって逆方向の圧力が印加され、前記ばね式スプール支持バンドがインライン位置に解放されるまで、前記ばね式スプール支持バンドに対して前方への圧力を保持する、請求項１９に記載の方法。
【発明の詳細な説明】
【技術分野】
【０００１】
本発明は、一般的に、魚釣用リールの分野に関し、特に、１８０度回転して、釣り人がスプールのどちら側からでも又はインライン位置からキャスティングできるようにするスプールを有する魚釣用リールに関する。
【背景技術】
【０００２】
魚釣りの歴史全体にわたって、釣り糸の捩れは、常に釣り人にとって不便であった。この避けがたい釣り糸の捩れは、スピニングリールやスピンキャスティングリールにおいては、投げ餌釣りリールに比べてより劇的に起こる。しかしながら、投げ餌釣りリールによりキャスティングする場合でさえ、この場合、釣り糸はスプールから直接離れ、また、スプールに直接巻き取られるものの、キャスティングの際の空中でのルアースピニング又は巻き取りの際の水中でのスピニングの結果、釣り糸は依然として捩れる。スピニング及びスピンキャスティングリールでは、釣り糸は、コイルが引き離されるようにスプールの側方からキャスティングされ、釣り糸が特定の方向に捩られる。
【０００３】
ある期間に渡って釣り糸のキャスティング及び巻き取りを行うと、釣り人には、釣り糸の捩れの蓄積を阻止する方法が無いことから、捩れが益々蓄積される。最終的に、これは、バックラッシュや鳥の巣（birds nests）の結果となり、釣り糸は使用可能となる。また、捩れた釣り糸は、短くなり、キャスティングの長さが犠牲になる。
【発明の概要】
【発明が解決しようとする課題】
【０００４】
釣り糸の捩れ方向に対して適切な方向で釣り人が釣り糸をほどき、これによって捩れを除去できる魚釣用リールを提供することが望ましい。
【課題を解決するための手段】
【０００５】
本発明は、釣り人がスプールのいずれかの側から又はインライン位置においてキャスティングできる魚釣用リールを提供する。巻き取りと同じ方向にスプールの釣り糸があるスプール位置（インライン位置と称する）から開始して、釣り糸は、この位置からキャスティングできる。又は、スプールは、キャスティングのために、インライン位置からいずれの方向にも９０度回転できる。スプールが回転した後、キャスティングは、スプールの釣り糸に垂直な方向のスプール側から行われる。キャスティングの後、スプールがインライン位置の開始位置に戻され、スプールの釣り糸は巻き取りと同じ方向になる。そして、釣り糸は、スプールと係合することによって釣り糸を巻き込む一連のギアに接続されたハンドルを回すことによって巻き取られる。
【０００６】
本発明によって、釣り人は、従来のインラインスプール位置又はサイドスプール位置からキャスティングできるばかりでなく、釣り人は、スプールのいずれの側からもキャスティングできる。第１キャスティングが、スプールの一方側又は他方側から行われると、多数の正の釣り糸捩れが生成される。第２キャスティング時、スプールの反対側からキャスティングすることによって、多数の負の釣り糸捩れが生成され、従って、釣り糸捩れの数がゼロになる。また、本発明によって、釣り人は、０度インラインスプール位置からキャスティングして、キャスティング時の空中でのルアースピニング又は巻き取り時の水中でのスピニングによって生成された釣り糸捩れを、釣り糸の捩れに逆らう適切なスプール側からのキャスティングによって取り除くことができる。
【０００７】
釣り糸は、スプールの一方側からキャスティングされる場合、あたかもスプールの他方側からキャスティングされたかのように逆方向に捩れる。釣り人は、釣り糸をほどくための適切な側からキャスティングすることによって、釣り糸をほどき、釣り糸の捩れの蓄積を防ぐことができる。従って、本発明のリールは、釣り人によって用いられて、釣り糸をほどくことができる。
【０００８】
本発明について、以下の図面を参照して更に詳細に説明する。
【図面の簡単な説明】
【０００９】
【図１】釣りざおに平行なインラインキャスティング及び巻き取り位置にあるスプールを示す本発明の魚釣用リールの側面図である。
【図２】釣りざおに平行なインラインキャスティング及び巻き取り位置にあるスプールを示す図１に示す魚釣用リールの平面図である。
【図３】図１に示す魚釣用リールの概略分解透視図である。
【図４】右側キャスティング位置にあるスプールを示す本発明の魚釣用リールを示す上面図である。
【図５】左側キャスティング位置にあるスプールを示す本発明の魚釣用リールを示す上面図である。
【発明を実施するための形態】
【００１０】
次に、本発明の好適な実施形態を詳細に参照し、その例を添付図面に示す。可能な限り、同じ参照番号を図面及び説明全体で用いて同じ又は同様な部品を参照する。
【００１１】
図１−３は、本発明の教示内容に基づく、インラインキャスティング及び巻き取り位置にある魚釣用リール１０を示す。この位置は、零度位置とも称する。リール本体１２は、ロッド搭載垂直支持部１３によって支持される。ロッド搭載垂直支持部１３は、釣りざお（図示せず）に取り付けることができる。
【００１２】
スプール支持機構１５は、リール本体１２の前端部１４に配置される。スプール支持機構１５には、ブレースアーム１６及びブレースアーム１７が含まれる。ブレースアーム１６及びブレースアーム１７は、図３に示すように、バンド１８で互いに結合可能となっている。他の選択肢として、ブレースアーム１６及びブレースアーム１７は、互いに一体化してもよい。バンド１８は、ねじ１９でリール本体１２の前端部１４に結合可能となっている。ばね式スプール支持バンド６０には、左側スプール支持バンド６１及び右側スプール支持バンド６２が含まれる。ブレースアーム１６及びブレースアーム１７は、スプール３１の９０度回転のために、しかるべき側のスプール支持バンド６１、６２からスプールスレッド５１、５２を外すことによって９０度回転し得るスプール支持バンド６１、６２の旋回プロング２２を受けるためのそれぞれの旋回用点開口部２０、２１を有する。スレッドロック装置５８は、旋回用点開口部２０、２１によってスプール３１を回転させるためのスプール組立体３０のスレッドタブ５７と係合される。スレッドロック装置５８は、付勢手段によってばね負荷がかけられている。このため、スレッドタブ５７の切り欠き５００にスレッドロック装置５８をロックできる。
【００１３】
スプール組立体３０には、スプールスレッド５１、５２及びスレッドロック装置５８の土台として機能するスプール３１の各側にあるスプールディスク３２、３３と、スレッドタブ５７とが含まれる。スプールディスク３２、３３は、スプール・ディスク・ブッシング３４と、スプール３１の軸として機能するねじ付きスプール軸３５とによって互いに接続される。ねじ付きナット３６は、ねじ付きスプール軸３５のいずれの端部にも取り付けることができる。
【００１４】
スプールギア３７は、スプール３１とスプールディスク３２との間のスプール・ディスク・ブッシング３４で受けることができる。例えば、スプールギア３７は、約１．４７インチの直径と、約１９の歯を有することができる。ディスクギア３８は、ディスクギアねじ３９でスプールディスク３２に取り付けることができる。例えば、ディスクギア３８には、８つの玉軸受けを含むことができ、また、直径約２．９４インチ及び３８の歯を有することができる。ディスクギア３８は、スプールギア３７と噛み合う。ハンドルギア４０は、噛み合いギアトリガ７４が解放されると、トリガギア７９と噛み合う。トリガギア７９は、ディスクギア３８と同じサイズである。ハンドル４２は、平坦側ねじ切り端部４３を用いて、ハンドルギア４０をリール本体１２に取り付けられる。平坦側ねじ切り端部４３は、ねじ付きナット４４と、逆転防止ギア８０と、ドラッグ圧力ナット８１と、ハンドルギア４０の各側にある２つのドラッグ座金８３と、によって受けられる。噛み合い逆転防止ギア８０は、逆転防止キャッチレバー８２である。ハンドルグリップ４６は、ハンドル４２に取り付けられる。トリガギア７９がディスクギア３８及びスプールギア３７と噛み合ってスプール３１を回転するように噛み合いギアトリガ７４が解放されると、ハンドル４２の回転によって、ハンドルギア４０が回転してトリガギア７９が回転する。更に、ハンドルギア４０、ディスクギア３８、トリガギア７９、及びスプールギア３７に構成されているのは、ドラッグ機構である。ドラッグ機構は、逆転防止ギア８０、ドラッグ座金８３、ドラッグ圧力ナット８１、及び逆転防止キャッチレバー８２を用いることによって、調整可能な圧力で魚が釣り糸をスプール３１から解放できるようにする。
【００１５】
スレッドロック装置５８には、２つのスプールスレッド５１、５２、スレッドタブ５７、及びスレッドプロング２９が含まれる。スプールスレッド５１、５２のスレッドプロング２９は、スプール支持機構１５内においてスプール組立体３０の回転をロック及びアンロックするためのばね式スプール支持バンド６０と係合する。各スプールスレッド５１、５２は、スレッドガイド５３で受ける。スレッドガイド５３は、スレッドガイドキャップ５４の下で受ける。スレッドガイドキャップ５４は、スプールディスク３２、３３に取り付けられる。スレッドばね５５は、スプールスレッド５１、５２の突起部５６に配置される。スレッドばね５５は、ねじ付きスプール軸３５に対して垂直に配置される。スプールスレッド５１、５２は、スプールディスク３１、３２の中心点からスレッドばね５５を用いてばね負荷がかけられている。
【００１６】
スレッドタブ５７は、図１に示すように、スプールスレッド５１、５２に垂直に結合される。スレッドロック装置５８は、スレッドタブ５７のスロット５０１に配置される。スレッドロック装置５８は、スレッドロック装置プロング５９によってスレッドタブ５７と結合可能となっている。
【００１７】
動作時、スプールスレッド５１、５２は、互いの方に動いて、スレッドプロング２９をスプール支持バンド６１、６２から解放できる。スレッドタブ５７を操作して、スレッドロック装置５８と係合させ、スプールスレッド５１又は５２を互いに隣接してスプール支持バンド６１、６２から解放された位置に保持できる。そして、スプール支持バンド６１又は６２は、旋回プロング２２においてそれ自体の支持バンドばね６９に抗して回転できる。反対のスプール支持バンド６１又は６２の動きは、支持バンドプロング５０２によって抑制されるが、支持バンドプロング５０２は、各スプール支持バンド６１又は６２の回転を９０度に限定するための制限スロット５０３によって受ける。
【００１８】
左側スプール支持バンド６１及び右側スプール支持バンド６２は、２つの共通の旋回点６３、６４において取り付けられ、互いに独立に動く。左側スプール支持バンド６１及び右側スプール支持バンド６２の各々は、対向するスプール支持バンドの方向に９０度回転できる。一方のスプール支持バンド６１又は６２は、他方のスプール支持バンド６１又は６２側に９０度回転すると、スプール支持バンドばね６４に抗して装着され、ばね式トリガロック装置７３によって所定の位置にロックされる。スプールスレッド５１は、左側スプール支持６１に向かう方向に及び左側スプール支持６１から離れる方向に摺動して、左側スプール支持６１と係合及び分離される。スプールスレッド５２は、右側スプール支持６２に向かう方向に及び右側スプール支持６２から離れる方向に摺動して、右側スプール支持６２と係合及び分離される。一方のスプール支持バンド６１又は６２は、他方のスプール支持バンド６１又は６２側に９０度回転されると、スプール支持バンドばね６９に抗して装着され、ばね式トリガロック装置７３によって所定の位置にロックされる。左側スプール支持バンド６１及び右側スプール支持バンド６２には、スプールスレッド５１、５２のスレッドプロング２９の係合と分離のための受け孔６６が組み込まれている。
【００１９】
スプール支持機構１５の外には、トリガ機構７０がある。トリガ機構７０は、左側スプール支持バンド６１又は右側スプール支持バンド６２のいずれかを９０度点においてアンロックするために、また、左側スプール支持バンド６１又は右側スプール支持バンド６２それぞれをインライン位置に戻すために用いられる。また、トリガ機構７０は、トリガギア７９の係合及び分離が可能である。トリガ機構７０には、ばね式トリガロック装置７３と係合するスプール支持バンドロックばね７２が含まれる。ばね式トリガロック装置７３は、９０度点において支持バンド６１、６２の回転をロック及びアンロックするために用いられる。スプール支持バンドロックばね７２は、逆方向の圧力が釣り人によって印加されて、ばね式スプール支持バンド６０がインライン位置に解放されるまで、ばね式スプール支持バンド６０に抗する前方への圧力を保持する。係合ギアトリガ７４は、係合ギアトリガガイド７５で受ける。係合トリガばね７６は、係合ギアトリガ７４とばね止め具７７との間に配置される。釣り人の指は、係合ギアトリガ７４がトリガギア７９を切り離すために用いられる。その後、ばね式トリガロック装置７３を動かして、ばね式トリガロック装置７３を解放し、これによって、ばね式スプール支持バンド６０をアンロックする。釣り糸５０５は、スプール３１に取り付けられる。
【００２０】
動作時、魚釣用リール１０は、図１に示すように、インライン位置においてキャスティングできる。この位置では、スプールスレッド５１、５２のプロング２９は、ばね式スプール支持バンド６０と係合される。右側へのキャスティングの場合、図４に示すように、スプールスレッド５２のプロング２９は、矢印Ａ１の方向に右側スプール支持バンド６２から解放され、スプール組立体３０は９０度回転する。
【００２１】
右側へのキャスティングの場合、スプールスレッド５２は、右側スプール支持バンド６２から切り離され、左側スプール支持バンド６１は、右側スプール支持バンド６２に対して９０度回転する。スレッドタブ５７を操作して、スレッドロック装置５８と係合させ、右側スプール支持バンド６２から解放された位置においてスプールスレッド５２を互いに隣接して保持できる。スプール組立体３０の回転後、ばね式トリガロック装置７３は、左側スプール支持バンド６１を所定の位置にロックできる。この位置は、第１キャスティングの９０度正捩れ位置と称し得る。右側キャスティング位置を解放する場合、係合ギアトリガ７４を動かして、トリガギア７９を切り離す。その後、ばね式トリガロック装置７３を動かして、ばね式トリガロック装置７３を解放し、これによって、左側スプール支持バンド６１をアンロックして、左側スプール支持バンド６１を１８０度の位置に戻し、スプール組立体３０を回転して、図１に示すように、インラインキャスティング位置に戻す。ばね式トリガロック装置７３による左側スプール支持バンド６１の解放によって、スレッドロック装置５８が解放され、スレッドロック装置５８が右側支持バンド６２と接触すると、スレッドタブ５７からスプールスレッド５２が解放される。スレッドロック装置５８の解放時、プロング２９が支持バンド孔６６において右側スプール支持バンド６２と係合するように、スプールスレッド５２はスレッドばね５５によって付勢される。
【００２２】
図５に示す左側へのキャスティングの場合、スプールスレッド５１のプロング２９は、左側スプール支持バンド６１から解放され、右側バンド６２は、矢印Ａ２の方向に９０度回転される。図５は、左側キャスティングの場合のスプール組立体３０の回転を示す。左側キャスティング時、スプールスレッド５１は、左側スプール支持バンド６１から切り離され、右側スプール支持バンド６２は、左側スプール支持バンド６１に対して９０度回転する。スレッドタブ５７を操作して、スレッドロック装置５８と係合させ、左側スプール支持バンド６１から解放された位置において互いに隣接してスプールスレッド５１を保持できる。スプール組立体３０の回転後、ばね式トリガロック装置７３は、右側スプール支持バンド６２を所定の位置にロックできる。この位置は、第２キャスティングの９０度負捩れ位置と称し得る。左側キャスティング位置を解放する場合、係合ギアトリガ７４を動かして、トリガギア７９を切り離す。その後、ばね式トリガロック装置７３を動かして、ばね式トリガロック装置７３を解放し、これによって、右側スプール支持バンド６２をアンロックして、右側支持バンド６２を１８０度の位置に戻し、図１に示すように、スプール組立体３０を回転させインラインキャスティング位置に戻す。また、右側スプール支持バンド６２の解放によって、スレッドロック装置５８が左側スプール支持６１に接触して、スレッドロック装置５８からスプールスレッド５１を解放すると、スレッドロック装置５８が解放される。スレッドロック装置５８の解放時、スプールスレッド５１は、プロング２９が支持バンド孔６６においてそれぞれの左側スプール支持バンド６１と係合するように、スレッドばね５５によって付勢される。
【００２３】
魚釣用リール１０は、図４又は５に示すように、第１位置にあるスプール３１から釣り糸５０５をキャスティングし、第１位置から９０度又は１８０度回転された第２位置にスプール３１を回転し、スプール３１が第２位置にある状態で釣り糸５０５をキャスティングするための方法に用いることができる。
【００２４】
魚釣用リール１０は、図４及び５に示すように、キャスティング又は巻き取りによって正捩れを生成する第１位置にあるスプール３１から釣り糸５０５をキャスティングし、第１位置から１８０度回転された第２位置にスプール３１を回転し、釣り糸５０５のニュートラルなゼロ捩れを維持するために、負捩れを生成する第２位置にスプール３１がある状態で、釣り糸５０５をキャスティングするための方法に用いることができる。
【００２５】
上述した実施形態は、多くの可能な特定の実施形態の内、本発明の原理の応用を代表し得る一例のみを例示したものであることを理解されたい。数多くの様々な他の構成は、本発明の精神及び範囲から逸脱することなく、当業者によって、これらの原理に基づき、容易に考案することが可能である。
【図１】
2014526252.tif 000003
【図２】
2014526252.tif 000004
【図３】
2014526252.tif 000005
【図４】
2014526252.tif 000006
【図５】
2014526252.tif 000007
【国際調査報告】
2014526252.tif 000008